(57)【特許請求の範囲】
【請求項１】
支柱の内部空間の上方と下方とに従動輪と駆動輪とを設け、
これら従動輪と駆動輪との間に伝達部材を巻き付け、
前記駆動輪にこの駆動輪を正逆回転可能に制御する駆動源を取り付け、
前記支柱の上下に亘ってスライド用開口溝を形成し、
この開口溝を利用して前記伝達部材に水平に延びるテーブルの一側を取り付け、
このテーブルの最下降位置においてテーブルを収納できる凹部を有する基台を前記支柱の下端に設けたことを特徴とするペット用トリミングテーブル。
【請求項２】
前記支柱の開口溝の両側に可撓性を有し復元性に優れた遮閉部材を設けて開口溝を遮閉するとともに、テーブルと伝達部材とを連結する部材の昇降を許容するように構成したことを特徴とする請求項１に記載のペット用トリミングテーブル。
【請求項３】
前記支柱の下端に駆動源を収納するユニットボックスを設け、このユニットボックスの下面に比較的重量のある金属板をテーブル方向に延びるように取り付けたことを特徴とする請求項１又は２に記載のペット用トリミングテーブル。
【請求項４】
請求項１ないし３のいずれか１項に記載のペット用トリミングテーブルの支柱を車両の床面から立ち上がらせ、前記基台を車両の床面に固定するとともに、この基台の厚みと床面との段差を傾斜面でつないだことを特徴とする移動用のペット用トリミング車両。
【請求項５】
前記金属板を車両の床面に固定したことを特徴とする請求項４に記載の移動用のペット用トリミング車両。
【請求項６】
前記テーブル脇で作業するトリマーの手が届く個所に自在アームに取り付けられたドライヤーを配置したことを特徴とする請求項４又は５に記載の移動用のペット用トリミング車両。
【発明の詳細な説明】
【０００１】
【発明の属する技術分野】
この発明は、犬や猫等のペットをトリミングするためのペット用トリミングテーブルとこのテーブルを備えた移動用のペット用トリミング車両に関するものである。
【０００２】
【従来の技術】
従来、ペットのトリミングは、大きな作業台の上にペットを載せて行なうか、床上で行なっていた。比較的広いスペースがあれば、トリミング作業も容易に行なえるが、狭いスペース、例えばミニバンの車室内でトリミングを行なうには、従来の作業台を搬入することもできなかった。
【０００３】
【発明が解決しようとする課題】
狭いスペースでもペットのトリミングを効率よく行なうペット用トリミングテーブルが要望されるとともに、ペットを飼う人々の間では、トリマーのところへ出掛けるよりも出張してトリミングしてくれることを望む声も強かった。
【０００４】
そこで、この発明は、狭いスペースでもペットのトリミングを行なえるペット用トリミングテーブル及びこのテーブルを備えた移動用のペット用トリミング車両を提供することを目的とする。
【０００５】
【課題を解決するための手段】
上述の目的を達成するため、この発明は、支柱の内部空間の上方と下方とに従動輪と駆動輪とを設け、これら従動輪と駆動輪との間に伝達部材を巻き付け、前記駆動輪にこの駆動輪を正逆回転可能に制御する駆動源を取り付け、前記支柱の上下に亘ってスライド用開口溝を形成し、この開口溝を利用して前記伝達部材に水平に延びるテーブルの一側を取り付け、このテーブルの最下降位置においてテーブルを収納できる凹部を有する基台を前記支柱の下端に設けたものである。また、このようなトリミングテーブルの支柱を車両の床面から立ち上がらせ、前記基台を車両の床面に固定するとともに、この基台の厚みと床面との段差を傾斜面でつないだものである。
【０００６】
【発明の実施の形態】
以下にこの発明の好適な実施例について図面を参照にして説明する。
【０００７】
図１に示すペット用トリミングテーブルは、支柱１の内部空間の上方と下方とに従動輪２と駆動輪３とを設け（ともに図２参照）、これら従動輪２と駆動輪３との間に伝達部材４を巻き付けてある。前記駆動輪３には、この駆動輪３を正逆回転可能に制御する駆動源５を取り付けてある。また、前記支柱１の上下に亘ってスライド用の開口溝６を形成してあり、この開口溝６を利用して前記伝達部材４に水平に延びるテーブル１０の一側を取り付けてある。このテーブル１０の一側（後側）の中央に支持フレーム１１の下端側を固着し、この支持フレーム１１は連結片１２を介してスライダー１３に固着されている。また、バッテリー５０を備え、駆動源（例えばモータ）５へ電力を供給している。駆動源５が収納されたユニットボックス７の下面に厚さ５〜１０ｍｍ程度の長方形状の鉄板等の比較的重量のある金属板８をテーブル１０の方向へ延びるように取り付けてある。この実施例における金属板８は、厚さ６ｍｍ、縦×横の寸法を５００×５９０（ｍｍ）とした。但し、この金属板８の支柱１の外側へ延びる部分（後端）は、左右両端にのみ存在する取付部８Ａ（後述する。図７参照）とした。そして、この金属板８を取り囲むように、テーブル１０を収納できる凹部９Ａを有する基台９を支柱１の下端に、すなわちユニットボックス７に設けてある。また、この基台９の外周面は、外側へ向けて徐々に低くなる傾斜面９Ｂに形成してある。
【０００８】
なお、図１における符号２０で示すものは、操作部であり、この操作部２０と駆動源５とをコード２１で接続してある。操作部２０を操作することにより、駆動源５の駆動作用を切り換えて駆動輪３を正転、逆転の両方向に回転できるようになっている。
【０００９】
図２は、支柱１の内部を示す一部省略の断面であり、先に述べた従動輪２として上部にスプロケットを回転可能に取り付けてあり、駆動輪３として支柱１の内部と連通するユニットボックス７内にスプロケットを回転可能に取り付けてある。この駆動輪３が駆動源５につながり、正逆回転可能に構成してある。伝達部材４としてはチェーンを使用し、このチェーンを両スプロケットに巻き掛けてある。また、スライダー１３の上下の表と裏には、滑車１４が回転可能に取り付けてあり、後述する支柱１内に設けたガイド突起２４に滑車１４の溝（図示せず）が嵌合する。上述のチェーンから成る伝達部材４の両端は、夫々スライダー１３の上下につながり、駆動源５を図面上矢印Ａ方向に伝達部材４が動くように操作するとテーブル１０は上昇し、反対に矢印Ｂ方向に伝達部材４を動かすとテーブル１０は下降する。
【００１０】
図３は、スライダー１３の個所の拡大断面を示し、スライダー１３の下端に側面形状がコ字型をしたガイド部材１５を固着し、このガイド部材１５の上端（コ字型の上側の水平部分）にバネ係止孔１６を設け、下端（コ字型の下側の水平部分）に摺動孔１７を設けてある。この摺動孔１７にチェーンボルト１８が上下動自在に差し込んであり、このチェーンボルト１８の上端側にナット１９がねじ込んである。このチェーンボルト１８の上端にコイルスプリング２２の下端を取り付けてある。さらに、従動輪（スプロケット）２に巻かれた伝達部材（チェーン）４の一端４Ａはスライダー１３の上端に連結してある。伝達部材４の他端４Ｂは、チェーンボルト１８の下端に連結してある。
【００１１】
前記伝達部材４としてはベルトを用いることもでき、従動輪２と駆動輪３としてはベルトが巻き付けられるローラを用いることもできる。上下に所定の間隔をとって従動輪２と駆動輪３とを配し、駆動輪３が正逆回転可能に制御され、これらの間に伝達部材４を取り付け、この伝達部材４にテーブル１０の一側を取り付ければ、伝達部材４の上下の移動によりテーブル１０も昇降することができるものであれば、上述した実施例に限定されるものではない。
【００１２】
図４は、支柱１の水平断面を示し、図２及び図３においては省略した取付溝２３も、図４では示す。この取付溝２３にはフック（図示せず）を固着し、前記操作部２０を引っかけておけるようにする。前記滑車１４の溝（図示せず）は、ガイド突起２４に嵌合する。符号２５は仕切壁を示す。また開口溝６の形成個所も示す。
【００１３】
このように構成されたペット用トリミングテーブルを使用するには、例えば小型犬のトリミングを行なう場合、操作部２０の上昇スイッチ（図示せず）を押して、図２の矢印Ａ方向に伝達部材４を移動させてテーブル１０を所望の高さ（トリマーが作業し易い高さ）まで上昇させる。この上昇させたテーブル１０に犬を置いてトリミングする。トリミングが終わったら操作部２０の下降スイッチ（図示せず）を押して、図２の矢印Ｂ方向に伝達部材４を移動させてテーブル１０を基台９の凹部９Ａに収納されるまで下降させる。
【００１４】
図５は、操作部２０やコード２１を省略したペット用トリミングテーブルの側面図であり、床面Ｆに金属板８と基台９を固着してある。金属板８が比較的重量があるため、テーブル１０の重力でテーブル１０先端側へ倒れ込もうとする作用（図５において時計回りへ回動する力）を抑止することができる。この装置全体の高さＨは、１３００ｍｍとした。また、テーブル１０の大きさは、厚さ２ｍｍ、縦横の寸法を８００×５９０（ｍｍ）とした。
【００１５】
図６は、図５の正面図を示し、図７は図５の正面図を示す。金属板８の後端には先に説明した取付部８Ａを設けてあり、この取付部８Ａを利用して床面Ｆにボルト等で金属板８を固着する。
【００１６】
図８は、上述したようなペット用トリミングテーブルを備えつけた車両の天井を取り除いた状態の平面図であり、運転席３０のすぐ後のスペースの中央部分に支柱１を垂設してある。この支柱１から車両１００のリアに向けてテーブル１０が設けてある。そして、車両（ミニバン）１００の床面Ｆから緩やかに立ち上がる傾斜面９Ｂで取り囲まれてテーブル１０を収納する凹部９Ａを備えた基台９が設けてある。この車両１００の床面Ｆの全長は３０１０ｍｍ、全幅は１５４５ｍｍである。車両１００の乗降口１０１の正面にペット用トリミングテーブルを配置し、乗降口１０１の右側には自在アーム３２（後述する）の取付台３１を配し、床面Ｆのリア側にはシャワータブ３４を配し、右側の側面側には作業台３５と湯沸器３６とを配してある。
【００１７】
図９は、図８のＸ−Ｘ線断面を示し、この実施例における基台９は、床面Ｆ上に敷設した下地材３７と一体化され、下地材３７の表面仕上材３８とも一体化されている。この下地材３７の厚みは１２ｍｍ、表面仕上材３８の厚みは２．３ｍｍとした。また基台９の下地材３７と表面仕上材３８との間には床材９Ｃを設けてあり、凹部９Ａに面してコーナーモール９Ｄを設けてある。このコーナーモール９Ｄの上面と凹部９Ａへ収納したときのテーブル１０の上面とは同一高さとなるようにして、トリマーが車内でつまずかないようにしてある。
【００１８】
車両１００に設けたテーブル１０の昇降は、車のバッテリーを電源とすることもできるが、充電電池を使用し、これを収納庫に収納しておき、配線は床下を通すこともできる。また、湯沸器３６の燃料としてはガスボンベ３９（図１２参照）を用いている。
【００１９】
図１０ないし図１２は、車両１００の左右側面の図と後方から見た図であり、８０リットルの清水タンク４０と４０リットルの排水タンク４１を積載し、湯沸器３６の上方にはレンジフード４２を設けてあり、車両１００の上部側壁にはレンジフード４２用の換気扇４３を設けてある。
【００２０】
上述した移動用のペット用トリミング車両は、テーブル１０を上昇させ、このテーブル１０上にペットを置き、このテーブル１０の周囲でトリマーが作業をする。ペットのトリミングが終了したら、シャワータブ３４にペットを入れて洗い、再びテーブル１０上でドライヤー（図示せず）でペットの毛を乾燥させる。このドライヤーは取付台３１に取り付けた自在アーム３２（図１３参照）にクリップ３３で挟んでおくと作業が効率的に行なえる。この自在アーム３２は３６０度回転可能で、関節を２以上有して伸縮自在なものであればよい。トリマーがドライヤーでブローするときに、両手が自由になるととても便利であるが、いままでは片手でドライヤーを持ち、他方の手でブラシを持ってペットの毛をブローしていた。そこで、見た目もすっきりと軽量で、首振り角度自由、上下移動も自由なドライヤーを車載用に考えた結果、自在アーム３２の先にクリップ３３を設け、このクリップ３３でドライヤーを挟持することにより、所望の結果が得られた。テーブル１０と取付台３１との位置関係において、テーブル１０の周囲で作業するトリマーがテーブル１０上のペットに自在アーム３２を操作してクリップ３３で挟まれたドライヤーをペットに向けておくことができ、トリマーは両手で作業をすることができる。
【００２１】
図１４は、支柱１の開口溝６の両側に可撓性を有し復元性に優れたアクリル等のプラスチック材料あるいはゴム材料等から成るシート状物（遮閉部材５０）を一部重なり合うように設けた例を示す。このような遮閉部材５０は、スライダー１３の昇降を邪魔せず、スライダー１３が存在しない開口溝６の部分を遮閉して内部に異物、例えばペットの毛が入り込まないようにしてある。
【００２２】
大型のペットのトリミングを行なう場合には、テーブル１０を基台９の凹部９Ａ内へ収納した状態のテーブル１０上で行なう。
【００２３】
この発明に係るトリミング用テーブルを上昇させた状態におけるテーブル１０の真下には、邪魔ものがないので、トリミングをしない状態では、腰かけを用意して腰かけたときに脚部をテーブル１０の下へ出すことができ、読書机や書きもの机としての利用もできる。小型で場所をとらずに昇降することのできるトリミング用テーブルの昇降メカニズムとしては、油圧ダンパーを利用してパンタグラフ型の脚の上にテーブルを設けることも考えられる。しかしながら、このような手段を採用すると、パンタグラフはたたんだ状態でも厚さが１００ｍｍ以上となり、不使用時に邪魔になるものであり、また油圧ダンパーを用いるとピストン部分に油が付着していて、その部分にペットの毛が付着してしまうという不都合があった。さらに、パンタグラフ収納時にペットの足をパンタグラフに挟んでペットを傷つけるおそれもあった。なおまた、トリマーの９９％以上は女性であり、そのために力がなくてもテーブルの昇降が容易で、昇降時に事故が起きるおそれが少なく、立って作業をする場合でも座って作業をする場合でもテーブル１０の高さを自由に変えられ、座った場合には脚をテーブル１０の下へ投げ出しておくこともできるという便利さがこの発明にはある。
【００２４】
【発明の効果】
以上説明したように、この発明によれば、支柱の内部空間の上方と下方とに従動輪と駆動輪とを設け、これら従動輪と駆動輪との間に伝達部材を巻き付け、駆動輪にこの駆動輪を正逆回転可能に制御する駆動源を取り付け、支柱の上下に亘ってスライド用開口溝を形成し、この開口溝を利用して伝達部材に水平に延びるテーブルの一側を取り付け、このテーブルの最下降位置においてテーブルを収納できる凹部を有する基台を支柱の下端に設けたので、小型で機能性に優れたものとなり、狭いマンションの一室に設けてトリミングショップを開店することもでき、不使用時にはテーブルを基台の凹部に収納しておくことで邪魔にもならないものである。また、ペットのトリミング以外にも、テーブルを上昇させて書きもの机等に利用することができ、そのときにテーブルの下が自由な空間となるので脚を入れることもできる。さらに、油圧シリンダとパンタグラフを用いたものに比べて小型化と軽量化を図ることができ、テーブル上昇時のテーブルの下の空間が自由となり、パンタグラフで怪我をするおそれもない。
【００２５】
また、支柱の開口溝の両側に可撓性を有し復元性に優れた遮閉部材を設けて開口溝を遮閉するとともに、テーブルと伝達部材とを連結する部材の昇降を許容するように構成したものでは、ペットの毛等が開口溝から支柱内へ入り込むのを防止することができる。
【００２６】
さらに、支柱の下端に駆動源を収納するユニットボックスを設け、このユニットボックスの下面に比較的重量のある金属板をテーブル方向に延びるように取り付けたものにあっては、重量のバランスがとれ、床面への固着の安定性が高くなる。
【００２７】
また、上述したようなペット用トリミングテーブルの支柱を車両の床面から立ち上がらせ、基台を車両の床面に固定するとともに、この基台の厚みと床面との段差を傾斜面でつないだ車両では、狭い車室内でも効率良くトリミングを行なうことができるとともに、どこへでも出張してペットの飼い主の家でトリミングすることが可能となる。特に、お年寄りにとってペットは治療効果が大きく、精神面でもプラスの効果が認められているので、今後お年寄りがペットを飼う機会も増え、そのような場合にペットをお年寄りがトリミングショップへ連れて行くのは大変なので、出張してきてくれると極めて便利であるし、今後は需要も多くなる。また、段差をなくしているので、車室内でつまずくこともない。
【００２８】
さらに、テーブル脇で作業するトリマーの手が届く個所に自在アームに取り付けられたドライヤーを配置した場合、トリマーがブローするときに両手を使用することもでき、効率が向上する。
【図面の簡単な説明】
【図１】ペット用トリミングテーブルの斜視図。
【図２】支柱の内部を示す断面図。
【図３】スライダー個所の拡大断面図。
【図４】支柱の水平断面図。
【図５】テーブルの側面図。
【図６】図５の正面図。
【図７】図５の平面図。
【図８】トリミングテーブルを備えた車両の平面図。
【図９】図８のＸ−Ｘ線断面図。
【図１０】車両の左側面図。
【図１１】車両の右側面図。
【図１２】車両の背面図。
【図１３】自在アーム取付個所の断面図。
【図１４】遮閉部材を取り付けた状態の支柱の断面図。
【符号の説明】
１    支柱
２    従動輪
３    駆動輪
４    伝達部材
５    駆動源
６    開口溝
１０  テーブル
【図１】
0003554724.tif 000002
【図２】
0003554724.tif 000003
【図３】
0003554724.tif 000004
【図４】
0003554724.tif 000005
【図５】
0003554724.tif 000006
【図６】
0003554724.tif 000007
【図７】
0003554724.tif 000008
【図８】
0003554724.tif 000009
【図９】
0003554724.tif 000010
【図１０】
0003554724.tif 000011
【図１１】
0003554724.tif 000012
【図１２】
0003554724.tif 000013
【図１３】
0003554724.tif 000014
【図１４】
0003554724.tif 000015